(57)【要約】【課題】鏡体にガラスを使用せずして塗装によって鏡自体に所望の装飾部を施すことができ、施工性、美観性、経済性に優れて扱い易く、当該鏡体の商品価値を高めた装飾化された鏡体を提供する。【解決手段】鏡面仕上げされたステンレス製又はアルミニウム製等の金属製の板材１の当該鏡面２自体に、塗装によって模様や図形４、文字５、記号又は写真６類の装飾部３が施されている。鏡面２の表面２ａの一部に装飾部３が施され、その装飾部３が、名称、名前や商標７であってもよい。【選択図】    図１
2011104071.tif 000002
【特許請求の範囲】
【請求項１】
鏡面仕上げされた金属製の板材の当該鏡面自体に、塗装によって模様や図形、文字、記号又は写真類の装飾部が施されて成ることを特徴とする装飾化された鏡体。
【請求項２】
鏡面をなす金属製の板材が、ステンレス製又はアルミニウム製で成ることを特徴とする請求項１に記載した装飾化された鏡体。
【請求項３】
鏡面の表面の一部に、装飾部が施されて成ることを特徴とする請求項１又は請求項２に記載した装飾化された鏡体。
【請求項４】
鏡面自体に施される装飾部が、名称、名前や商標であることを特徴とする請求項１〜３のいずれか１項に記載した装飾化された鏡体。
【請求項５】
装飾部が施された鏡面の表面が、表面仕上げされて成ることを特徴とする請求項１〜４のいずれか１項に記載した装飾化された鏡体。
【発明の詳細な説明】
【技術分野】
【０００１】
本発明は、表面に装飾部が施されて成る装飾化された鏡体の技術分野に属するものである。
【背景技術】
【０００２】
従来、ガラス製の鏡の表面に装飾が施されたものは公知に属する。
【０００３】
例えば、下記文献１の実公平６−１４６３４号実用新案公報には、硝子板の片面の周辺領域部分に敷設した図柄膜層の表面に前記硝子板に対する接着力が該図柄膜層に対する接着力よりも劣る被覆膜層、さらに反射鍍銀膜層および裏止め塗膜層を積層した層着部を設けると共に、該層着部を剥離して透光性図柄部（図柄フィルムシート）を形成し、かつ該図柄部の周縁端部に保護被膜層を被着し鉛線で縁取りが施されてなるステンドグラス風装飾付き鏡（請求項１）が開示されている。
【先行技術文献】
【特許文献】
【０００４】
【特許文献１】実公平６−１４６３４号実用新案公報
【発明の概要】
【発明が解決しようとする課題】
【０００５】
前記文献１に記載されたステンドグラス風装飾付き鏡は、硝子板に対する接着力が図柄膜層に対する接着力よりも劣る被覆膜層や層着部を設け、層着部を剥離して図柄フィルムシートからなる透光性図柄部を形成し、該図柄部の周縁端部に保護被膜層を被着するといった接着による装飾部の形成手段を用いているが、各部材の用意、形成が煩わしい上、美観的にもシールの接着で興醒めする。
【０００６】
かように、従来ガラスの鏡自体には塗装によって装飾することができない。そのため、ガラス鏡に装飾する他の手段としては、ガラスに直接描いたり、ガラス自体を刻設する等も行われているが、ガラスが破損し易く取り扱いにくくて、思うように装飾を施せなかったり、コスト高になったりするといった問題がある。
【０００７】
したがって、本発明の目的は、鏡体にガラスを使用せずして塗装によって鏡自体に所望の装飾部を施すことができ、施工性、美観性、経済性に優れて扱い易く、当該鏡体の商品価値を高めた装飾化された鏡体を提供することにある。
【課題を解決するための手段】
【０００８】
上記課題を解決するための手段として、請求項１記載の発明の装飾化された鏡体は、鏡面仕上げされた金属製の板材１の当該鏡面２自体に、塗装によって模様や図形４、文字５、記号又は写真６類の装飾部３が施されて成ることを特徴とする。
【０００９】
請求項２記載の発明の装飾化された鏡体は、前記鏡面２をなす金属製の板材１が、ステンレス製又はアルミニウム製で成ることを特徴とする。
【００１０】
請求項３記載の発明の装飾化された鏡体は、前記鏡面２の表面２ａの一部に、装飾部３が施されて成ることを特徴とする。
【００１１】
請求項４記載の発明の装飾化された鏡体は、前記鏡面２自体に施される装飾部３が、名称、名前や商標７であることを特徴とする。
【００１２】
請求項５記載の発明の装飾化された鏡体は、前記装飾部３が施された鏡面２の表面２ａが、表面仕上げされて成ることを特徴とする。
【発明の効果】
【００１３】
請求項１、２の本発明の装飾化された鏡体は、ガラスを用いることなく、鏡面仕上げされたステンレス又はアルミニウム等の金属製の板材の当該鏡面自体に、塗装によって模様や図形、文字、記号又は写真類の装飾部が施されて成るので、鏡面に対し所望の装飾部が施工性よく実現される。
【００１４】
また、請求項３記載の発明のように、鏡面の表面の一部に前記装飾部を施せば、鏡の姿身本来の機能を損なうことがない上、当該装飾部を見ながら楽しく化粧ができる。
【００１５】
さらに、前記鏡面自体に施される装飾部が、名称、名前や商標であり（請求項４）、例えば当該商標が施された鏡体に係る商品がコンパクトである場合、その使用者は優越感に浸れるので、当該コンパクトの商品需要を増大させる副次的効果もある。
【００１６】
加えて、請求項５記載の発明のように、装飾部が施された鏡面の表面が表面仕上げされると、当該鏡体が奇麗に完成し、鏡体に係る商品の使用増大に寄与する。
【図面の簡単な説明】
【００１７】
【図１】本発明の装飾化された鏡体を備えたコンパクトを示した斜視図である。
【００１８】
【図２】本発明の装飾化された鏡体を備えた卓上立て鏡を示した斜視図である。
【発明を実施するための最良の形態】
【００１９】
本発明の装飾化された鏡体の好適な実施形態を、以下図面にしたがって説明する。なお、本請求項１、２記載の発明に関する実施の形態は共通しているので、以下のとおり一括して説明する。
【００２０】
図１は、本発明の装飾化された鏡体の一実施形態として、コンパクト８に使用した形態を示しており、当該鏡体がコンパクト８の鏡に使用されている。また図２は、本発明の異なる実施形態として、本鏡体を卓上立て鏡９（又は鏡台、壁掛け鏡等）に使用した形態を示しており、当該鏡体が起立状態で使用されるものである。
【００２１】
本実施形態の装飾化された鏡体には、金属製の板材１が使用される。この金属製の板材１としては、ステンレス製又はアルミニウム製の実施形態が好適に採用されるがこの限りでなく、他の金属製の板材１であってもよい。
【００２２】
前記の金属製の板材１を、平滑に加工し、圧延及び研磨処理を施して、その表面２ａが鏡面仕上げされて鏡面２に形成されている。
【００２３】
前記のようにして平滑に鏡面仕上げされた当該鏡面２（表面２ａ）自体に、例えばポリウレタン樹脂塗料等の樹脂塗料、又は油性塗料や水性塗料などの塗料を塗装することによって、所望の模様や図形４、文字５、記号又は写真６類の装飾部３が施されている。その装飾部３は、通例鏡面２の表面２ａの一部に実施される。そして、装飾部３が施された表面２ａの上面が表面仕上げされている。
【００２４】
したがって、例えば、図２に示したように、家族の写真６を鏡面２の表面２ａの下部隅に施す実施形態によれば、鏡面２に映し出される自分の顔の近傍に家族の写真６が位置し、楽しく当該鏡体を使用することができる。
【００２５】
装飾部３としては、名称、名前や商標７も好適に実施される。とりわけ、図１に示したように、当該鏡面２を備えたコンパクト８において、関連する商標７（装飾部３）を鏡面２の表面２ａの一部に実施すれば、コンパクト８を使用するたびに使用者は優越感に浸れてよい。
【符号の説明】
【００２６】
１      板材
２      鏡面
２ａ    表面
３      装飾部
４      図形
５      文字
６      写真
７      商標
８      コンパクト
９      卓上立て鏡
【図１】
2011104071.tif 000003
【図２】
2011104071.tif 000004